(57)【要約】      （修正有）【課題】構造が簡単で施工が容易かつ迅速にでき、しかも、低コストな補強筋により、コンクリート系建物の梁貫通孔の周囲に発生するひび割れやせん断強度低下等を効果的に抑制することができ、同時に、貫通孔の上下主筋の付着強度および座屈強度を向上させることができるコンクリート系建物における梁貫通孔の補強方法を提供する。【解決手段】「く」の字状に折り曲げ形成された一対の「く」の字筋を、貫通孔３を左右から挟む状態で、しかも、該「く」の字筋の中間折曲部が外方に位置するように向かい合わせ状態で配筋して、上記「く」の字筋の上下端部を梁主筋１に掛止せしめると共に、定着補助筋５の内端部により上記中間折曲部を掛止するように構成する。【選択図】        図１
2006161307.tif 000002
【特許請求の範囲】
【請求項１】
「く」の字状に折り曲げ形成された一対の「く」の字筋を、貫通孔を左右から挟む状態で、しかも、該「く」の字筋の中間折曲部が外方に位置するように向かい合わせ状態で配筋して、上記「く」の字筋の上下端部を梁主筋に掛止せしめると共に、定着補助筋の内端部により上記中間折曲部を掛止することを特徴とするコンクリート系建物における梁貫通孔の補強方法。
【請求項２】
上記一対の「く」の字筋の上下端部同士を、緊結筋により緊結することを特徴とする請求項１に記載のコンクリート系建物における梁貫通孔の補強方法。
【請求項３】
上記一対の定着補助筋の内端部同士を、緊結筋により緊結することを特徴とする請求項１または２に記載のコンクリート系建物における梁貫通孔の補強方法。
【発明の詳細な説明】
【技術分野】
【０００１】
本発明は、コンクリート系建物における梁貫通孔の補強方法に関するものである。
【背景技術】
【０００２】
一般に、鉄筋コンクリート（ＲＣ）建物の梁を貫通する孔（以下、梁貫通孔という）部分は、ひび割れが生じ易く、また、せん断強度が低下する。
これらのひび割れやせん断強度低下等を防止するために、従来、図６に示すように、梁貫通孔Ｈの周囲に、孔際せん断補強筋Ｓと斜め補強筋Ｎを配筋したり、また、図７に示すように、梁貫通孔Ｈの周囲に、開孔補強金物Ｕを配筋していた。
【０００３】
しかし、上記斜め補強筋Ｎを使用する場合には、配筋が複雑で施工性が悪いという問題点があり、また、上記開孔補強金物Ｕを使用する場合には、開孔補強金物Ｕが高価であってコストがかかるという問題点があった。
【０００４】
さらに従来、特許第３２７２５３０号特許公報に開示されているように、中間部に外膨らみの曲折部３５Ｋを有する半矩形状体３２の２つの縦棒材３５を、相互に向かいあわせた状態で貫通孔を挟むように配筋するものがあった。
【０００５】
しかし、上記縦棒材３５は、貫通孔の上下部を補強する補強筋であって、貫通孔周囲補強金物Ｄと併用してその死角部分を補強する目的で使用され、この縦棒材３５の上下端部は梁主筋に緊結固定されるが、該縦棒材３５だけで貫通孔部分の梁を補強することはできない等の問題点があった。
【特許文献１】特許第３２７２５３０号特許公報
【発明の開示】
【発明が解決しようとする課題】
【０００６】
本発明が解決しようとする課題は、構造が簡単で施工が容易かつ迅速にでき、しかも、低コストな補強筋により、コンクリート系建物の梁貫通孔の周囲に発生するひび割れやせん断強度低下等を効果的に抑制することができ、同時に、貫通孔の上下主筋の付着強度および座屈強度を向上させることができるコンクリート系建物における梁貫通孔の補強方法を提供することにある。
【課題を解決するための手段】
【０００７】
本発明のコンクリート系建物における梁貫通孔の補強方法は、「く」の字状に折り曲げ形成された一対の「く」の字筋を、貫通孔を左右から挟む状態で、しかも、該「く」の字筋の中間折曲部が外方に位置するように向かい合わせ状態で配筋して、上記「く」の字筋の上下端部を梁主筋に掛止せしめると共に、定着補助筋の内端部により上記中間折曲部を掛止することを特徴とする。また、上記一対の「く」の字筋の上下端部同士を、緊結筋により緊結することを特徴とする。さらに、上記一対の定着補助筋の内端部同士を、緊結筋により緊結することを特徴とする。
【発明の効果】
【０００８】
本発明のコンクリート系建物における梁貫通孔の補強方法は、下記のような利点がある。
１）施工性に優れた補強方法により、梁貫通孔の周りの梁の剛性、強度および変形性能を向上させることができる。
２）安価な補強筋を使用するため、施工コストも安い。
【発明を実施するための最良の形態】
【０００９】
以下、本発明の実施例について、図面を参照しながら説明する。
【実施例１】
【００１０】
図１は、本発明の補強方法の第１実施例を説明する梁貫通孔部分の配筋図であって、１は梁主筋、２は孔際せん断補強筋、３は貫通孔である。他のせん断補強筋（肋筋）は図示していない。
【００１１】
４は補強筋であって、「く」の字状に折り曲げられて梁の幅方向に平行に配置される一対の「く」の字筋４ａと、該「く」の字筋４ａの上下端を内側に折り曲げられて上記梁主筋１に掛止する上下端部４ａ′と、これら上下端部４ａ′同士を相互に一体的に緊結する緊結筋４ｂから構成される。２つの補強筋４、４は、上記貫通孔３を左右から挟む状態で、しかも、上記「く」の字筋４ａの中間折曲部４ａ″が外方に位置するように向かい合わせ状態で、配筋される。
【００１２】
５は定着補助筋であって、梁の長手方向に延びる２本の平行な定着筋５ａと、該定着筋５ａの内端から内側に折り曲げられて上記補強筋４の中間折曲部４ａ″に掛止する内端部５ａ′と、これら内端部５ａ′同士を相互に一体的に緊結する緊結筋５ｂから、全体として、「コ」の字状に構成される。
【００１３】
一般に、貫通孔３の両側には孔際せん断補強筋２が配筋される場合が多いため、上記「く」の字筋４ａが該孔際せん断補強筋２と交錯してしまう。これを避けるため、図２（Ａ）で明らかにするように、上記「く」の字筋４ａは、梁主筋１に掛止する上下端部４ａ′から中間折曲部４ａ″にかけて、該孔際せん断補強筋２の内側に絞るように予め加工しておくか、或いは、上記定着補助筋５により絞り状態を保持させておく。
【００１４】
本第１実施例の梁貫通孔の補強筋４および定着補助筋５の施工方法としては、まず、補強筋４を従来の肋筋と同様に上下の梁主筋１に緊結し、該補強筋４の中間折曲部４ａ″に上記定着補助筋５の内端部５ａ′を掛け止める。上記補強筋４は、梁貫通孔３の周りに発生するひび割れの進展・拡大を防止し、梁耐力を確保する。また、該補強筋４は、梁貫通孔３の上下に位置する梁主筋１の付着および座屈の強度向上にも有効に機能する。さらに、上記定着補助筋５は、上記補強筋４に発生する張力を維持するために定着筋として機能する。
【実施例２】
【００１５】
図３は、本発明の補強方法の第２実施例を説明する梁貫通孔部分の配筋図であって、梁主筋１、孔際剪断補強筋２および貫通孔３は、上記第１実施例と同じである。
【００１６】
６は、「く」の字補強筋であって、上記第１実施例の「く」の字筋４ａと基本的に同じ形状を有し、その上下端部６ａはフック状に形成されていて、梁主筋１に掛止する。
７は定着補助筋であって、その内端部７ａはフック状に形成されていて、上記「く」の字補強筋６の中間折曲部６ｂに掛止する。
【００１７】
本第２実施例の定着補助筋７に代えて、上記第１実施例の定着補強筋５を配筋したり、また、上記第１実施例の定着補助筋５に代えて、本第２実施例の定着補強筋７を配筋することもできる。
【００１８】
図４は、上記補強筋４（６）をダブルに配置した、更に別の実施例のモデル配筋図を示すものであり、その解析によるせん断力−変位の関係を図５に実線で示す。図５から明らかなように、図７に示す従来の補強方法（図５に破線で表示）と同程度に、本発明補強方法（図５に太実線で表示）でも十分な耐力が得られることが確認できる。
【産業上の利用可能性】
【００１９】
本発明のコンクリート系建物の梁は、上記実施例の鉄筋コンクリート造（ＲＣ）梁だけでなく、鉄骨鉄筋コンクリート造（ＳＲＣ）梁の用途にも適用できる。
【図面の簡単な説明】
【００２０】
【図１】本発明の補強方法の第１実施例を説明する梁貫通孔部分の配筋図である。
【図２】図１の実施例の平面図（Ａ）および正面図（Ｂ）である。
【図３】本発明の補強方法の第２実施例を説明する梁貫通孔部分の配筋図である。
【図４】本発明の更に別の実施例のモデル配筋図である。
【図５】図４のモデルの解析によるせん断力−変位の関係を示すグラフである。
【図６】従来の補強方法を示す配筋図である。
【図７】従来の別の補強方法を示す配筋図である。
【符号の説明】
【００２１】
１    梁主筋
２    孔際せん断補強筋
３    貫通孔
４    補強筋
４ａ  「く」の字筋
４ａ′上下端部
４ａ″中間折曲部
４ｂ  緊結筋
５    定着補助筋
５ａ  定着筋
５ａ′内端部
５ｂ  緊結筋
６    「く」の字補強筋
６ａ  上下端部
６ｂ  中間折曲部
７    定着補助筋
７ａ  内端部
【図１】
2006161307.tif 000003
【図２】
2006161307.tif 000004
【図３】
2006161307.tif 000005
【図４】
2006161307.tif 000006
【図５】
2006161307.tif 000007
【図６】
2006161307.tif 000008
【図７】
2006161307.tif 000009